(57)【要約】【課題】  携帯電話における所定機能の設定変更忘れを防止できるようにすること。【解決手段】  二次電池１０９の充電が開始したことをセンサ１０８が検出すると、ＣＰＵ１０３は、メモリ１０２に記憶されている所定の機能について、充電開始時に表示部１０７で動作モードの設定変更を促す表示を行う。操作部１０７から、動作モードの設定を行う指示入力がなされると、ＣＰＵ１０３は、前記機能について動作モードの変更処理を行う。所定時間内に、前記指示入力がない場合、表示部１０７による前記設定変更を促す表示を終了し、二次電池１０９の充電を継続する。【選択図】  図１
2006245885.tif 000002
【特許請求の範囲】
【請求項１】
二次電池を電源として有する携帯型通信装置において、
報知手段と、充電開始時に前記報知手段で、所定機能の動作モードの設定変更を促す制御手段とを備えて成ることを特徴とする携帯型通信装置。
【請求項２】
所定機能を表す情報を記憶する記憶手段を有し、前記制御手段は、前記記憶手段に記憶された所定機能について、動作モードの設定変更を促すことを特徴とする請求項１記載の携帯型通信装置。
【請求項３】
操作手段を有し、前記制御手段は、前記報知手段によって動作モードの設定変更を促した後、所定時間内に前記操作手段によって指示入力が行われた場合に、前記指示入力に従って当該機能の動作モードを設定することを特徴とする請求項１又は２記載の携帯型通信装置。
【請求項４】
前記制御手段は、前記報知手段によって動作モードの設定変更を促した後、所定時間内に前記操作手段によって指示入力がなされなかった場合、前記報知手段による設定変更を促す動作を終了し、前記二次電池に対する充電を継続することを特徴とする請求項３記載の携帯型通信装置。
【請求項５】
前記報知手段は表示手段であり、前記制御手段は、前記所定機能の動作モードの設定変更を促す表示を前記表示手段に行うことを特徴とする請求項１乃至４のいずれか一に記載の携帯型通信装置。
【請求項６】
前記所定機能はマナーモード機能又は目覚まし機能であることを特徴とする請求項１乃至５のいずれか一に記載の携帯型通信装置。
【請求項７】
前記所定機能がマナーモード機能の場合、前記制御手段は、充電開始時にマナーモード機能が解除されていない状態にあると判断したとき、マナーモード機能の設定変更を促すことを特徴とする請求項６記載の携帯型通信装置。
【発明の詳細な説明】
【技術分野】
【０００１】
本発明は、二次電池を電源として動作する携帯電話等の携帯型通信装置に関する。
【背景技術】
【０００２】
従来から、携帯電話、ＰＨＳ（Personal Handyphone System）、通信機能を有するＰＤＡ（Personal Digital Assistants）等の携帯型通信装置が開発されている（例えば、特許文献１〜４参照）。
携帯電話の使用者が帰宅した時や就寝する前等、携帯電話の使用環境が変わるときに、携帯電話のマナーモード機能の解除を行ったり、目覚まし機能の動作／非動作（ＯＮ／ＯＦＦ）の設定等を行って、使用環境に応じた動作モードの設定変更を逐一行う必要がある。
しかしながら、往々にして、これらの設定変更を行うことを忘れてしまい、使用環境に応じた適切な設定変更が行われないという問題がある。
これらの問題は、携帯電話のみならず、ＰＨＳ等の携帯型通信装置に共通する問題である。
【０００３】
【特許文献１】特開２０００−２８５０８０号公報
【特許文献２】特開２００３−２９８７１５号公報
【特許文献３】特開２００４−７２１９３号公報
【特許文献４】特開平８−２３７３３７号公報
【発明の開示】
【発明が解決しようとする課題】
【０００４】
本発明は、前記問題点に鑑み成されたもので、機能の動作モードの設定変更忘れを防止できるようにすることを課題としている。
【課題を解決するための手段】
【０００５】
本発明によれば、二次電池を電源として有する携帯型通信装置において、報知手段と、充電開始時に前記報知手段で、所定機能の動作モードの設定変更を促す制御手段とを備えて成ることを特徴とする携帯型通信装置が提供される。制御手段は、充電開始時に報知手段で、所定機能の動作モードの設定変更を促す。
ここで、所定機能を表す情報を記憶する記憶手段を有し、前記制御手段は、前記記憶手段に記憶された所定機能について、動作モードの設定変更を促すように構成してもよい。
また、操作手段を有し、前記制御手段は、前記報知手段によって動作モードの設定変更を促した後、所定時間内に前記操作手段によって指示入力が行われた場合に、前記指示入力に従って当該機能の動作モードを設定するように構成してもよい。
【０００６】
また、前記制御手段は、前記報知手段によって動作モードの設定変更を促した後、所定時間内に前記操作手段によって指示入力がなされなかった場合、前記報知手段による設定変更を促す動作を終了し、前記二次電池に対する充電を継続するように構成してもよい。
また、前記報知手段は表示手段であり、前記制御手段は、前記所定機能の動作モードの設定変更を促す表示を前記表示手段に行うように構成してもよい。
また、前記所定機能はマナーモード機能又は目覚まし機能であるように構成してもよい。
また、前記所定機能がマナーモード機能の場合、前記制御手段は、充電開始時にマナーモード機能が解除されていない状態にあると判断したとき、マナーモード機能の設定変更を促すように構成してもよい。
【発明の効果】
【０００７】
本発明によれば、所定機能の動作モードの設定変更忘れを防止することが可能になる。
【発明を実施するための最良の形態】
【０００８】
以下、本発明の実施の形態に係る携帯型通信装置について、図面を参照して詳細に説明する。
図１は本発明の実施の形態に係る携帯型通信装置のブロック図であり、携帯電話の例を示している。
図１において、携帯電話１００は、音声入出力手段としての音声入出力部１０１、記憶手段としてのメモリ１０２、中央処理装置（ＣＰＵ）１０３、信号の送受信を行うための送受信手段を構成するアンテナ１０４及び送受信部１０５、操作手段としての操作部１０６、報知手段としての表示部１０７、検出手段としてのセンサ１０８、電池１０９を備えている。
【０００９】
メモリ１０２は、ＣＰＵ１０３が実行するプログラム、前記プログラムを実行する上で必要なデータを予め記憶しており、又、動作モードの設定変更を促す対象となる機能を表すデータ、送受信部１０５で受信した電子メールや操作部１０６から入力した文字データ等のデータを記憶する。操作部１０６は、操作キー等によって構成されている。
ＣＰＵ１０３は、メモリ１０２に記憶されたプログラムを実行することにより、後述する種々の機能を実現する。例えば、ＣＰＵ１０３は、携帯電話１００全体や携帯電話１００の各構成要素を制御する制御手段として機能する。
【００１０】
アンテナ１０４及び送受信部１０５は、音声、電子メール、画像等を無線で送受信する。
表示部１０７は、携帯電話の動作に必要な各種の表示を行い又、後述するように、機能の設定変更を促す表示を行う。尚、表示部１０７は表示手段を構成している。
センサ１０８は電池１０９が充電開始されたか否かを検出するためのセンサであり、例えば、電池１０８を充電用アダプタに接続したか否かを検出する開閉スイッチによって構成することが可能である。センサ１０８は、電池１０８が充電中か否かを検出して、充電中か否かを表す検出信号をＣＰＵ１０３に出力する。
電池１０９は、携帯電話１００の各構成要素の電源として機能する電池であり、充電可能な電池である二次電池によって構成されている。
【００１１】
図２は、図１に示した携帯電話１００の処理を示すフローチャートであり、ＣＰＵ１０３がメモリ１０２に記憶したプログラムを実行することによって行われる処理を示している。
図３及び図４は、図１に示した携帯電話１００の表示部１０７の表示内容を示す図である。
【００１２】
先ず、本発明の実施の形態に係る携帯電話１００の概要を説明すると、本発明の実施の形態に係る携帯電話１００は、携帯電話１００の所定の機能（例えば、マナーモード機能や目覚まし機能等の機能）の動作モードを充電開始時に設定変更することを促し、自宅等での充電時にマナーモード機能の解除忘れや目覚まし機能の設定忘れ等、所定の機能の設定変更忘れを防ぎ、着信や目覚まし等に気が付かないことがないようにしている。また、携帯電話１００が有する複数の機能のうち、動作モードの設定変更を促す対象となる機能の動作／非動作（ＯＮ／ＯＦＦ）を使用者は選択でき、所定の全ての機能についての設定変更の促しを動作させるか否か（ＯＮ／ＯＦＦ）の選択や、マナーモード機能のみや目覚まし機能のみ等のように一又は複数の機能についての動作モードの設定変更を促すように選択することも可能なように構成している。
【００１３】
以下、図１〜図４を用いて、本発明の実施の形態に係る携帯型通信装置の動作を詳細に説明する。
使用者は、操作部１０６を操作することによって、動作モードの設定変更を促す処理の実行（オン）あるいは非実行（オフ）を設定する。この場合、操作部１０６の操作によって、携帯電話１００が有する複数の機能のうちの所定の複数の機能（例えば、マナーモード機能や目覚まし機能等）全てについて動作モードの設定変更を促す機能のオン／オフを設定できるように構成されているのみならず、携帯電話が有する前記複数の所定の機能のうち、動作モードの設定変更を促す所定の一又は複数の機能を選択して設定できるようにも構成されている。
【００１４】
操作部１０６によって設定変更を促す機能の対象として設定された所定の機能を表す情報はメモリ１０２に記憶される。尚、設定変更を促す処理が実行されるように操作部１０６によってメモリ１０２に設定されている場合は、以下の設定変更を促す処理が実行されるが、設定変更を促す処理が実行されないように操作部１０６によってメモリ１０２に設定されている場合は、以下の設定変更を促す処理は実行されず、充電のみの動作が行われる。
【００１５】
ＣＰＵ１０３は、メモリ１０２を参照して、動作モードの設定変更を促す処理の実行が行われるように設定されていると判断して、以下の設定変更を促す処理を実行する。
この場合、携帯電話１００を充電用アダプタ装置（図示せず）に載置することによって充電を開始すると、センサ１０８は携帯電話１００が前記アダプタ装置に載置されたことを検出、即ち、センサ１０８は携帯電話１００の二次電池１０９の充電開始されたことを検出して、充電開始を表す検出信号を出力する。尚、充電開始されたか否かの検出は、電池１０９の端子電圧を測定することによって行うことも可能である。
【００１６】
ＣＰＵ１０３は、センサ１０８から前記検出信号を受信することによって充電開始されたと判断し（ステップＳ２０１）、携帯電話１００の所定の機能が設定変更可能な状態にあるか否かを判断する（ステップＳ２０２）。例えば、通話中等の場合は設定の変更ができない状態である。したがって、ＣＰＵ１０３は、充電開始を検出した場合でも、携帯電話１００が通話中等のような設定変更ができない状態の場合には、終話後等の設定変更可能な状態になるのを待つ。
【００１７】
ＣＰＵ１０３は、ステップ２０２において、携帯電話１００が設定変更可能な状態にあると判断した場合、メモリ１０２を参照して、設定変更を促す対象として設定されている機能を判断する（ステップＳ２０３）。
ＣＰＵ１０３は、設定変更を促す対象として設定されている機能がマナーモード機能の場合には、マナーモード機能が既に解除された状態にあるか否かを判断する（ステップＳ２０４）。
【００１８】
ＣＰＵ１０３は、ステップＳ２０４において、マナーモード機能が既に解除された状態にあると判断した場合には、設定変更を促すための処理を終了する一方で、通常の充電状態を維持して、二次電池１０９の充電処理を継続する。
ＣＰＵ１０３は、ステップＳ２０４において、マナーモード機能が解除されていない状態（マナーモード機能が実行されている状態）にあると判断した場合には、図３に示すように、マナーモード機能の設定変更（例えば、マナーモード機能の解除）を促すための表示を表示部１０７で行う（ステップＳ２０５）。表示部１０７には、マナーモード機能の設定を解除するか否かを促す表示（「はい」、「いいえ」の選択入力表示）が行われる。
【００１９】
使用者は、操作部１０６を使用して、マナーモード機能を解除する場合には、表示部１０７に表示された「はい」及び「選択」を選択することによって変更する旨の指示入力を行い、マナーモード機能を解除しない場合には、表示部１０７に表示された「いいえ」及び「選択」を選択することによって変更しない旨の指示入力を行う。
ＣＰＵ１０３は、所定時間（例えば、数十秒間）内に、操作部１０６による前記指示入力が行われたか否かを判断し（ステップＳＳ２０６）、前記所定時間内に変更あるいは変更しない旨のいずれの指示入力もなされなかったと判断した場合は、自動的に図３の設定変更を促す画面を消去して、設定の変更は行わずに設定変更を促す処理を終了し、電池１０９に対する通常の充電動作を継続する。
【００２０】
ＣＰＵ１０３は、ステップＳＳ２０６において、前記所定時間内に前記入力処理が行われたと判断した場合は、入力された通りに当該機能の設定を変更して、設定変更を促す処理を終了し（ステップＳ２０７）、その一方で、電池１０９に対する通常の充電動作を継続する。
【００２１】
一方、ＣＰＵ１０３は、ステップＳ２０３において、設定変更を促す対象として設定されている機能が目覚まし機能であると判断すると、図４に示すように、目覚まし機能の設定変更を促すための表示を表示部１０７で行う。尚、目覚まし機能の場合には、既に目覚まし機能が設定されている場合でも目覚ましの時刻を変更する可能性があるため、設定変更を促す機能を自動的に動作させて表示を行う。表示部１０７には、目覚まし機能の設定を解除するか否かを促す表示（「はい」、「いいえ」の選択入力表示）が行われる。
【００２２】
使用者は、目覚まし機能を設定する場合には、表示部１０７に表示された「はい」及び「選択」を選択することによって設定変更する旨の指示入力を行い、これにより、通常の目覚まし設定画面（図示せず）に移行する。使用者は、表示部１０７に表示された目覚まし設定画面で時刻設定等を行うことにより、目覚まし機能の設定を行う。
また、目覚まし機能を設定変更しない場合には、操作部１０６を操作して、表示部１０７に表示された「いいえ」及び「選択」を選択することによって、変更しない旨の指示入力を行う。
【００２３】
ＣＰＵ１０３は、所定時間（例えば、数十秒間）内に、操作部１０６による前記指示入力が行われたか否かを判断し（ステップＳＳ２０６）、前記所定時間内に前記指示入力がなされなかったと判断した場合は、自動的に図４の設定変更を促す画面を消去して、設定の変更は行わずに設定変更を促す処理を終了し、電池１０９に対する通常の充電動作を継続する。
【００２４】
ＣＰＵ１０３は、ステップＳＳ２０６において、前記所定時間内に前記入力処理が行われたと判断した場合は、入力された通りに当該機能の設定を変更して、設定変更を促す処理を終了し（ステップＳ２０７）、その一方で、電池１０９に対する通常の充電動作を継続する（ステップＳ２０７）。
ＣＰＵ１０３は、ステップＳ２０３において、他の機能が設定変更を促す対象として設定されていると判断すると、当該他の機能についても前記同様の処理を行って、メモリ１０２に記憶されている設定変更を促す機能についての処理を全て行う。
【００２５】
以上述べたように、本発明の実施の形態に係る携帯電話１００は、二次電池１０９を電源として有する携帯電話において、報知手段としての表示部１０７と、充電開始時に表示部１０７で、所定機能の動作モードの設定変更を促す制御手段としてのＣＰＵ１０３を備えて成ることを特徴としている。
ここで、記憶手段としてのメモリ１０２には前記所定の機能を表す情報が記憶されており、前記制御手段は、メモリ１０２に記憶された所定の機能について、動作モードの設定変更を促す。
【００２６】
また、操作手段としての操作部１０６を有し、前記制御手段は、表示部１０７によって動作モードの設定変更を促す表示を行った後、所定時間内に操作部１０６によって指示入力が行われた場合、前記指示入力に従って当該機能の動作モードを設定する。
また、前記制御手段は、表示部１０７によって動作モードの設定変更を促す表示を行った後、所定時間内に操作部１０６によって指示入力されなかった場合、表示部１０７での設定変更を促す表示を終了し、二次電池１０９に対する充電を継続するように構成している。
【００２７】
このようにして、携帯電話１００の所定の機能の動作モードを、充電開始時に設定の変更を促す機能を実現する。これにより、所定機能の動作モードの設定変更忘れを防止することが可能になる。また、多くの携帯電話使用者は自宅にて充電を実施することから、マナーモードのまま充電していて着信に気が付かないことや、就寝前に充電する際に目覚ましを設定し忘れることがないように設定の変更を促すことが可能になる。
【００２８】
尚、前記実施の形態では、二次電池を電源として動作する携帯型通信装置の例として携帯電話の例を挙げたが、二次電池を電源として動作する携帯電話やＰＨＳ等の携帯型通話装置はじめとして、通信機能を有し二次電池を電源として動作得るＰＤＡ等、二次電池を電源として動作する携帯型通信装置に適用することが可能である。
【産業上の利用可能性】
【００２９】
携帯電話のみならず、ＰＨＳや通信機能を有するＰＤＡ等の二次電池を電源として動作する携帯型通信装置に適用することが可能である。
【図面の簡単な説明】
【００３０】
【図１】本発明の実施の形態に係る携帯電話のブロック図である。
【図２】本発明の実施の形態に係る携帯電話の処理を示すフローチャートである。
【図３】本発明の実施の形態に係る携帯電話のにおける表示を示す図である。
【図４】本発明の実施の形態に係る携帯電話のにおける表示を示す図である。
【符号の説明】
【００３１】
１００・・・携帯型通信装置の一種である携帯電話
１０１・・・音声入出力手段としての音声入出力部
１０２・・・記憶手段としてのメモリ
１０３・・・中央処理装置（ＣＰＵ）
１０４・・・送受信手段を構成するアンテナ
１０５・・・送受信手段を構成する送受信部
１０６・・・操作手段としての操作部
１０７・・・報知手段としての表示部
１０８・・・検出手段としてのセンサ
１０９・・・二次電池
【図１】
2006245885.tif 000003
【図２】
2006245885.tif 000004
【図３】
2006245885.tif 000005
【図４】
2006245885.tif 000006